(57)【要約】【課題】電話番号によって目的地を特定できるチケット予約システム及び該方法の提供。【解決手段】この発明は、電話番号によって目的地を特定できるチケット予約システム及び該方法に関するものである。まず、チケット予約の端末装置が、目的地の電話番号のあるチケット予約の請求を受け、送信機構を用いて、予約のサーボ装置まで送信する。該後、サーボ装置が、対照表に予め登録されている国番号、市外の区域番号、市内の区域番号とそれらの番号に対応する目的地のコード番号を照合して目的地を特定し、それを利用して、必要な交通手段のチケット予約を行うのである。【選択図】図１
2007306537.tif 000002
【特許請求の範囲】
【請求項１】
チケット予約端末装置、チケット予約サーボ装置及び送信機構を含み、当該チケット予約端末装置はチケット予約の請求を受けることで、交通運輸のチケットを買い、該チケット予約の請求は目的地の電話番号情報を含み、
該チケット予約サーボ装置は交通運輸のチケット予約を行い、該予約のサーボ装置に、電話番号を目的地と照合する対照表が設けられ、該対照表に国番号、市外の区域番号、市内の区域番号とそれらの番号に対応する目的地のコード番号が予め登録され、
該送信機構はチケット予約の請求をサーボ装置まで送信することでチケット予約を行い、
又、該チケット予約のサーボ装置は、チケット予約請求での目的地の電話番号の国番号、市外の区域番号、市内の区域番号とそれらの番号に対応する目的地のコード番号を照合して目的地を特定することを特徴とする電話番号によって目的地を特定できるチケット予約システム。
【請求項２】
該チケット予約の端末装置は、コンピューター、携帯電話、クレジットカードの読取機、又はＰＤＡのどっちを使っても良いのであることを特徴とする請求項１に記載の電話番号によって目的地を特定できるチケット予約システム。
【請求項３】
該送信機構は、有線接続、無線接続、又はネットワーク接続を使っても良いのであることを特徴とする請求項１に記載の電話番号によって目的地を特定できるチケット予約システム。
【請求項４】
該チケット予約の請求は、出発地の電話番号の情報を含むので、チケット予約のサーボ装置が該出発地の電話番号での国番号、市外の区域番号、市内の区域番号を対照表と照合して、該番号と対応する出発地のコード番号を見つけることで、交通運輸の出発地を特定できるのであることを特徴とする請求項１に記載の電話番号によって目的地を特定できるチケット予約システム。
【請求項５】
該チケット予約のサーボ装置は、チケット分配システムであることを特徴とする請求項１に記載の電話番号によって目的地を特定できるチケット予約システム。
【請求項６】
該交通運輸チケットは電車のチケット、バスのチケット、船のチケット、地下鉄のチケットのどっちであっても良いのであることを特徴とする請求項１に記載の電話番号によって目的地を特定できるチケット予約システム。
【請求項７】
該目的地は駅、バス停、港、又は地下鉄の駅のどっちであっても良いのであることを特徴とする請求項１に記載の電話番号によって目的地を特定できるチケット予約システム。
【請求項８】
使用者がチケット予約の端末装置にチケット予約のサーボ装置へ交通運輸のチケットを予約し、該予約のサーボ装置に、電話番号を目的地と照合する対照表が設けられ、該対照表に国番号、市外の区域番号、市内の区域番号とそれらの番号に対応する目的地のコード番号が予め登録され、該方法は下記のステップを含み、
（Ａ）チケットの端末装置にチケット予約の請求を入力し、該チケット予約の請求に目的地の電話番号を含み、
（Ｂ）チケット予約のサーボ装置によって、目的地の電話番号の情報から国番号、市外の区域番号、市内の区域番号を取り出し、
（Ｃ）チケット予約のサーボ装置によって、目的地の国番号、市外の区域番号、市内の区域番号を対照表と照合して、それらの番号に対応する目的地のコード番号を見つけ、及び、
（Ｄ）チケット予約のサーボ装置で見つけた目的地のコード番号によって、目的地を特定して、必要な交通手段のチケット予約を行うのであることを特徴とする電話番号によって目的地を特定できるチケット予約方法。
【請求項９】
該ステップ（Ａ）の中に、該チケット予約の請求に該交通運輸チケットの出発地の電話番号を含み、該ステップ（Ｂ）の中に、該チケット予約のサーボ装置によって、出発地の電話番号の情報から国番号、市外の区域番号、市内の区域番号を取り出し、該ステップ（Ｃ）の中に、該チケット予約のサーボ装置によって、出発地の国番号、市外の区域番号、市内の区域番号を対照表と照合して、それらの番号に対応する出発地のコード番号を見つけ、該ステップ（Ｄ）の中にチケット予約のサーボ装置で見つけた出発地のコード番号により、出発地を特定して、必要な交通手段のチケット予約を行うのであることを特徴とする請求項８に記載の電話番号によって目的地を特定できるチケット予約方法。
【請求項１０】
該交通運輸チケットは電車のチケット、バスのチケット、船のチケット、地下鉄のチケットのどっちであっても良いのであることを特徴とする請求項８に記載の電話番号によって目的地を特定できるチケット予約方法。
【請求項１１】
該目的地は駅、バス停、港、又は地下鉄の駅のどっちであっても良いのであることを特徴とする請求項８に記載の電話番号によって目的地を特定できるチケット予約方法。
【発明の詳細な説明】
【技術分野】
【０００１】
この発明はチケット予約システム及び該方法に関するものである。特に、電話番号によって、駅、バス停、港、地下鉄などの目的地を特定できる予約システム及び該方法を指すものである。
【背景技術】
【０００２】
経済が素早く成長したので、ビジネスか旅行のため、旅客が飛行機、電車、自動車、船等の交通機関でそれぞれの国又は地域へ行くのが普及になる。旅客が旅行社を通して当地の交通運輸のチケットを買うことが できる。又、旅客自分がインターネットを通して、当地の交通運輸機関のホームページで直接チケットを買うこともできる。該方法について、旅客が予約のホームページにアクセスして、例えば身分証の番号、名前、出発日、帰着日、予約人数、及び出発地、目的地等の適切なデータを入力すれば、インターネットで交通機関チケットを予約することができるが、旅客が目的地の交通機関駅名の全名がはっきりわからない場合、旅客が入力した目的地の運輸機関名称が間違った場合、旅客には目的地がわかっても目的地の運輸機関名称がわからない場合、又は、該目的地に交通運輸の施設がない場合が生じたら、旅客が自らチケットを予約することは難しくなる。旅客がもっと早くて正確に交通運輸機関のチケットを予約することは、早めに解決しなければならない課題である。
【発明の開示】
【発明が解決しようとする課題】
【０００３】
この発明は、電話番号によって目的地を特定できるチケット予約システム及び該方法に関するものである。該チケット予約システムに、チケット予約端末装置があり、それによって、チケット予約の請求を受けることで、交通運輸のチケットを買い、該チケット予約の請求は目的地の電話番号の情報を含む。又、チケット予約サーボ装置があり、それによって、交通運輸のチケット予約を行い、該予約のサーボ装置に、電話番号を目的地と照合する対照表が設けられ、該対照表に国番号、市外の区域番号、市内の区域番号とそれらの番号に対応する目的地のコード番号が予め登録されている。又、送信機構があり、該送信機構を用いて、チケット予約の請求をサーボ装置まで送信することでチケット予約を行う。又、チケット予約のサーボ装置は、チケット予約請求での目的地の電話番号の国番号、市外の区域番号、市内の区域番号とそれらの番号に対応する目的地のコード番号を照合して目的地を特定する。
【０００４】
上記の方法は、下記のステップを含む。（Ａ）チケットの端末装置にチケット予約の請求を入力し、該チケット予約の請求に目的地の電話番号を含む。（Ｂ）チケット予約のサーボ装置によって、目的地の電話番号の情報から国番号、市外の区域番号、市内の区域番号を取り出す。（Ｃ）チケット予約のサーボ装置によって、目的地の国番号、市外の区域番号、市内の区域番号を対照表と照合して、それらの番号に対応する目的地のコード番号を見つける。及び、（Ｄ）チケット予約のサーボ装置で見つけた目的地のコード番号によって、目的地を特定して、必要な交通手段のチケット予約を行うのである。
【０００５】
上記のチケット予約システム及び該方法は、電話番号の情報の中での国番号、市外の区域番号、市内の区域番号を利用して、目的地のコード番号を見つけることで、交通運輸機関のチケット予約を行うことで、使用者が目的地を探す時間を減少できるし、目的地入力のミス率を低下できる。
【０００６】
上記のチケット予約の端末装置は、コンピューター、携帯電話、クレジットカードの読取機、又はＰＤＡのどっちを使っても良いのである。
【０００７】
上記の送信機構は、有線接続、無線接続、又はネットワーク接続を使っても良いのである。
【０００８】
上記のチケット予約の請求は、出発地の電話番号の情報を含むので、チケット予約のサーボ装置が該出発地の電話番号での国番号、市外の区域番号、市内の区域番号を対照表と照合して、該番号と対応する出発地のコード番号を見つけることで、交通運輸の出発地を特定できるのである。
【０００９】
上記の交通運輸チケットは電車のチケット、バスのチケット、船のチケット、地下鉄のチケットのどっちであっても良いのである。
【００１０】
上記の目的地は駅、バス停、港、又は地下鉄の駅のどっちであっても良いのである。
【課題を解決するための手段】
【００１１】
請求項１の発明はチケット予約端末装置、チケット予約サーボ装置及び送信機構を含み、当該チケット予約端末装置はチケット予約の請求を受けることで、交通運輸のチケットを買い、該チケット予約の請求は目的地の電話番号情報を含み、
該チケット予約サーボ装置は交通運輸のチケット予約を行い、該予約のサーボ装置に、電話番号を目的地と照合する対照表が設けられ、該対照表に国番号、市外の区域番号、市内の区域番号とそれらの番号に対応する目的地のコード番号が予め登録され、
該送信機構はチケット予約の請求をサーボ装置まで送信することでチケット予約を行い、  
又、該チケット予約のサーボ装置は、チケット予約請求での目的地の電話番号の国番号、市外の区域番号、市内の区域番号とそれらの番号に対応する目的地のコード番号を照合して目的地を特定することを特徴とする電話番号によって目的地を特定できるチケット予約システムとしている。
請求項２の発明は、該チケット予約の端末装置は、コンピューター、携帯電話、クレジットカードの読取機、又はＰＤＡのどっちを使っても良いのであることを特徴とする請求項１に記載の電話番号によって目的地を特定できるチケット予約システムとしている。
請求項３の発明は、該送信機構は、有線接続、無線接続、又はネットワーク接続を使っても良いのであることを特徴とする請求項１に記載の電話番号によって目的地を特定できるチケット予約システムとしている。
請求項４の発明は、該チケット予約の請求は、出発地の電話番号の情報を含むので、チケット予約のサーボ装置が該出発地の電話番号での国番号、市外の区域番号、市内の区域番号を対照表と照合して、該番号と対応する出発地のコード番号を見つけることで、交通運輸の出発地を特定できるのであることを特徴とする請求項１に記載の電話番号によって目的地を特定できるチケット予約システムとしている。
請求項５の発明は、該チケット予約のサーボ装置は、チケット分配システムであることを特徴とする請求項１に記載の電話番号によって目的地を特定できるチケット予約システムとしている。
請求項６の発明は、該交通運輸チケットは電車のチケット、バスのチケット、船のチケット、地下鉄のチケットのどっちであっても良いのであることを特徴とする請求項１に記載の電話番号によって目的地を特定できるチケット予約システムとしている。
請求項７の発明は、該目的地は駅、バス停、港、又は地下鉄の駅のどっちであっても良いのであることを特徴とする請求項１に記載の電話番号によって目的地を特定できるチケット予約システムとしている。
請求項８の発明は、使用者がチケット予約の端末装置にチケット予約のサーボ装置へ交通運輸のチケットを予約し、該予約のサーボ装置に、電話番号を目的地と照合する対照表が設けられ、該対照表に国番号、市外の区域番号、市内の区域番号とそれらの番号に対応する目的地のコード番号が予め登録され、該方法は下記のステップを含み、
（Ａ）チケットの端末装置にチケット予約の請求を入力し、該チケット予約の請求に目的地の電話番号を含み、
（Ｂ）チケット予約のサーボ装置によって、目的地の電話番号の情報から国番号、市外の区域番号、市内の区域番号を取り出し、
（Ｃ）チケット予約のサーボ装置によって、目的地の国番号、市外の区域番号、市内の区域番号を対照表と照合して、それらの番号に対応する目的地のコード番号を見つけ、及び、
（Ｄ）チケット予約のサーボ装置で見つけた目的地のコード番号によって、目的地を特定して、必要な交通手段のチケット予約を行うのであることを特徴とする電話番号によって目的地を特定できるチケットとしている。
請求項９の発明は、該ステップ（Ａ）の中に、該チケット予約の請求に該交通運輸チケットの出発地の電話番号を含み、該ステップ（Ｂ）の中に、該チケット予約のサーボ装置によって、出発地の電話番号の情報から国番号、市外の区域番号、市内の区域番号を取り出し、該ステップ（Ｃ）の中に、該チケット予約のサーボ装置によって、出発地の国番号、市外の区域番号、市内の区域番号を対照表と照合して、それらの番号に対応する出発地のコード番号を見つけ、該ステップ（Ｄ）の中にチケット予約のサーボ装置で見つけた出発地のコード番号により、出発地を特定して、必要な交通手段のチケット予約を行うのであることを特徴とする請求項８に記載の電話番号によって目的地を特定できるチケット予約方法としている。
請求項１０の発明は、該交通運輸チケットは電車のチケット、バスのチケット、船のチケット、地下鉄のチケットのどっちであっても良いのであることを特徴とする請求項８に記載の電話番号によって目的地を特定できるチケット予約方法としている。
請求項１１の発明は、該目的地は駅、バス停、港、又は地下鉄の駅のどっちであっても良いのであることを特徴とする請求項８に記載の電話番号によって目的地を特定できるチケット予約方法としている。
【発明の効果】
【００１２】
本発明は電話番号によって目的地を特定できるチケット予約システム及び該方法、この発明は電話番号の情報の中での国番号、市外の区域番号、市内の区域番号を使って、目的地の駅のコード番号を見つけることで、電車のチケットを予約する場合、使用者がチケット予約の端末装置１１に目的地の国番号、市外の区域番号及び市内の区域番号を入力してから、送信機構１２を通して該情報を送信した後、チケット予約のサーボ装置１３が該入力された国番号、市外の区域番号及び市内の区域番号を対照表１４と照合して、該番号に対応する又は近くにある目的地及び出発地の駅のコード番号を見つけてから電車のチケットを予約することができるので、使用者が目的地の駅を探す時間及び目的地の入力ミス率を低下することができる。
【発明を実施するための最良の形態】
【００１３】
図１のこの発明のベター実施例のシステム構造図及び、図２のこの発明のベター実施例のフローチャートを同時にご参照ください。図１のシステム構造図の中に、チケット予約の端末装置１１を使って、使用者が入力したチケット予約の請求を受けてから、送信機構１２を通して、チケット予約のサーボ装置１３に交通運輸のチケットを買う。この実施例の中での交通運輸チケットは電車のチケット、バスのチケット、地下鉄のチケット又は船のチケットのどっちであっても良いが、この実施例の中に電車のチケットだけを範例として説明する。一般の旅客にとって、自分が行きたい目的地の電話番号の情報が多少わかる（例えば、当地の観光地の電話又はホテルの電話等）ので、この発明は該電話番号の情報を利用して電車のチケットを買うことができる。又、上記のチケット予約の請求の中に、目的地の電話番号の情報を含む。該チケット予約の端末装置１１はコンピューター、携帯電話、ＰＤＡ、又はクレジットカードの読取機のどっちを使っても良いのである。又は、上記のチケット予約のサーボ装置１３に電話番号と目的地の対照表１４を設けてあり、この対照表１４に予め国番号、市外の区域番号、市内の区域番号とそれらの番号に対応する目的地のコード番号等が登録されている。
【００１４】
図２で示すフローチャートをご参照ください。電車のチケットを買う場合、使用者が該チケット予約の端末装置１１に目的地の電話番号の情報を含むチケット予約のデータを入力することで、チケット予約の請求（ステップＳ２０１）を生じる。この実施例の中に、目的地は駅であり、このチケット予約の請求に乗客の情報及び出発地等の情報を含むし、該中に、出発地には出発地の電話だけわかっても良い。即ち、チケット予約の端末装置１１によって、このチケット予約の請求を伝送方式１２を通して、チケット予約のサーボ装置１３まで送信することで、電車のチケットを予約することができる。この送信機構は、有線接続、無線接続、又はネットワーク接続を使っても良い。このチケット予約の請求を受けた後、チケット予約のサーボ装置１３によって、目的地及び出発地の電話番号の情報から国番号、市外の区域番号、市内の区域番号を取り出す（ステップＳ２０２）。又、チケット予約のサーボ装置１３は、チケット分配システムであるし、該中に電話番号と目的地の対照表１４を設けてある。該対照表１４の中に予め国番号、市外の区域番号、市内の区域番号とそれらの番号に対応する目的地のコード番号等が登録されている。図３で示すのは該一部の範例であり、又、チケット予約のサーボ装置１３が目的地及び出発地の電話番号での国番号、市外の区域番号、市内の区域番号を対照表１４と照合して、該対応する目的地と出発地のコード番号（ステップＳ２０３）を見つけてから、チケット予約のサーボ装置１３が目的地及び出発地のコード番号によって、この電車のチケットの目的地及び出発地の駅を特定した後、チケット予約を行うのである（ステップＳ２０４）。
【００１５】
若し、使用者が行く予定の目的地又は出発地に駅がない場合、該対照表１４での対応する目的地のコード番号は、該目的地又は出発地隣の駅のコード番号である。
【００１６】
上述について、もっと詳しく説明するため、下記で二つの範例で説明する。
【００１７】
範例１：使用者が台湾に旅行する予定の場合、電車で台北（Ｔａｉｐｅｉ）の国父記念館（Ｄｒ．  Ｓｕｎ  Ｙａｔ−ｓｅｎ  Ｍｅｍｏｒｉａｌ  Ｈａｌｌ）から台中（Ｔａｉｃｈｕｎｇ）美術館（Ｎａｔｉｏｎａｌ  Ｔａｉｗａｎ  Ｍｕｓｅｕｍ  ｏｆ  Ｆｉｎｅ  Ａｒｔｓ）まで行く予定なので、使用者がチケット予約の端末装置１１に出発地及び目的地の電話番号の情報（８８６２２７５ＸＸＸＸ、８８６４２３７ＸＸＸＸ）を含むチケット予約の請求を入力して（ステップＳ２０１）、チケット予約の端末装置１１が送信機構１２を通して、チケット予約のサーボ装置１３まで送信することで、電車のチケットを予約する。次、チケット予約のサーボ装置１３がこのチケット予約の請求を受けると、出発地及び目的地の電話番号の情報（８８６２２７５、８８６４２３７）での国番号（８８６、８８６）、市外の区域番号（２、４）、及び市内の区域番号（２７５、２３７）（ステップＳ２０２）を取り出してから、チケット予約のサーボ装置１３が出発地及び目的地の電話番号の情報（８８６２２７５、８８６４２３７）での国番号（８８６、８８６）、市外の区域番号（２、４）、及び市内の区域番号（２７５、２３７）を対照表１４（図３の通り）と照合して、該番号と対応する出発地及び目的地の駅のコード番号（TP、TC）を見つけた後（ステップＳ２０３）、チケット予約のサーボ装置１３が該見つけられた出発地及び目的地の駅のコード番号（TP 、TC）によって、この電車のチケットの出発地及び目的の駅は台北、台中を特定して、チケットの予約を行うのである（ステップＳ２０４）。
【００１８】
範例２：使用者が日本に旅行する予定の場合、電車で東京（Ｔｏｋｙｏ）の皇居（Ｋｏｋｙｏ）から福岡（Ｆｕｋｕｏｋａ）の博多（Ｈａｋａｔａ  Ｓｔａ．  Ａｒｅａ）まで美術館（Ｎａｔｉｏｎａｌ  Ｔａｉｗａｎ  Ｍｕｓｅｕｍ  ｏｆ  Ｆｉｎｅ  Ａｒｔｓ）まで行く予定なので、使用者がチケット予約の端末装置１１に出発地及び目的地の電話番号の情報（８１３３２ＸＸＸＸ、８１９２４６１ＸＸＸＸ）を含むチケット予約の請求を入力して（ステップＳ２０１）、チケット予約の端末装置１１が送信機構１２を通して、チケット予約のサーボ装置１３まで送信することで、電車のチケットを予約する。次、チケット予約のサーボ装置１３がこのチケット予約の請求を受けると、出発地及び目的地の電話番号の情報（８１３３２、８１９２４６１）での国番号（８１、８１）、市外の区域番号（３、９２）、及び市内の区域番号（３２、４６１）（ステップＳ２０２）を取り出してから、チケット予約のサーボ装置１３が出発地及び目的地の電話番号の情報（８１３３２、８１９２４６１）での国番号（８１、８１）、市外の区域番号（３、９２）、及び市内の区域番号（３２、４６１）を対照表１４（図３の通り）と照合して、該番号と対応する出発地及び目的地の駅のコード番号（TK、HK）を見つけた後（ステップＳ２０３）、チケット予約のサーボ装置１３が該見つけられた出発地及び目的地の駅のコード番号（ＴＫ、ＨＫ ）によって、この電車のチケットの出発地及び目的の駅は東京、博多を特定して、チケットの予約を行うのである（ステップＳ２０４）。
【００１９】
上述によって、この発明は電話番号の情報の中での国番号、市外の区域番号、市内の区域番号を使って、目的地の駅のコード番号を見つけることで、電車のチケットを予約する場合、使用者がチケット予約の端末装置１１に目的地の国番号、市外の区域番号及び市内の区域番号を入力してから、送信機構１２を通して該情報を送信した後、チケット予約のサーボ装置１３が該入力された国番号、市外の区域番号及び市内の区域番号を対照表１４と照合して、該番号に対応する又は近くにある目的地及び出発地の駅のコード番号を見つけてから電車のチケットを予約することができるので、使用者が目的地の駅を探す時間及び目的地の入力ミス率を低下することができる。
【図面の簡単な説明】
【００２０】
【図１】この発明のベター実施例のシステム構造図である。
【図２】この発明のベター実施例のフローチャートである。
【図３】この発明の電話番号と駅の対照表の範例である。
【符号の説明】
【００２１】
１１  チケット予約の端末装置
１２  送信機構
１３  チケット予約のサーボ装置
１４  対照表
【図１】
2007306537.tif 000003
【図２】
2007306537.tif 000004
【図３】
2007306537.tif 000005